(57)【要約】【課題】ユーザごとに訪れたい目的地を自由に設定することができ、各ユーザに固有のシステムを生産性よく構築することができるとともに、ユーザが設定した目的地以外に本当に行きたかった場所等のユーザの潜在的な情報を得ることができるガイドシステムを提供する。【解決手段】旅程データ受付部１と、初期旅程データ記憶部３と、マスター旅程データ生成部２と、現在位置取得部５と、ガイド表示部Ｇと、前記現在位置取得部５で取得された現在位置情報に基づいた実旅程データを記憶する実旅程データ記憶部４をさらに備えた。【選択図】図1
2015079390.tif 000002
【特許請求の範囲】
【請求項１】
ユーザから少なくとも１又は複数の目的地を含む初期旅程データを受け付ける旅程データ受付部と、
前記旅程データ受付部で受け付けられた初期旅程データを記憶する初期旅程データ記憶部と、
前記初期旅程データに基づいて、各目的地に対して各目的地の位置情報と、各目的地に関する情報である目的地情報とが関連づけられたガイド情報を少なくとも含むマスター旅程データを生成するマスター旅程データ生成部と、
前記ユーザの現在位置情報を取得する現在位置取得部と、
前記マスター旅程データ及び前記現在位置情報に基づいて、各目的地と現在位置との間の位置関係、又は、各目的地の目的地情報を表示するガイド表示部と、
前記現在位置取得部で取得された現在位置情報に基づいた実旅程データを記憶する実旅程データ記憶部を備えていることを特徴とするガイドシステム。
【請求項２】
前記実旅程データが、位置情報と、その位置情報が示す地点でのユーザの滞在時間と、を含む請求項１記載のガイドシステム。
【請求項３】
前記初期旅程データ記憶部に記憶されている初期旅程データと、前記実旅程データ記憶部に記憶されている実旅程データを比較し、違いを抽出する旅程データ比較部をさらに備えた請求項１又は２に記載のガイドシステム。
【請求項４】
前記ガイド表示部が、現在位置に対する各目的地までの距離と、現在位置に対する各目的地の存在方向とを表示するように構成されている請求項１乃至３いずれかに記載のガイドシステム。
【請求項５】
前記ガイド表示部が、各目的地の名称を表示せずに各目的地の位置情報を表示するように構成されている請求項１乃至４いずれかに記載のガイドシステム。
【請求項６】
前記ガイド表示部が、各目的地の位置情報と前記現在位置情報との差が所定値以内の目的地の目的地情報を表示するように構成されている請求項１乃至５いずれかに記載のガイドシステム。
【請求項７】
ユーザから少なくとも１又は複数の目的地を含む初期旅程データを受け付ける旅程データ受付部と、
前記旅程データ受付部で受け付けられた初期旅程データを記憶する初期旅程データ記憶部と、
各目的地に対して各目的地の位置情報と、各目的地に関する情報である目的地情報とが関連づけられたガイド情報を少なくとも含むマスター旅程データを生成するマスター旅程データ生成部と、
前記ユーザの現在位置情報を取得する現在位置取得部と、
前記マスター旅程データ及び前記現在位置情報に基づいて、各目的地と現在位置との間の位置関係と、各目的地の目的地情報とを表示するガイド表示部と、
前記現在位置取得部で取得された現在位置情報に基づいた実旅程データを記憶する実旅程データ記憶部を備えていることを特徴とするガイドシステム用プログラム。
【発明の詳細な説明】
【技術分野】
【０００１】
本発明は、例えばＧＰＳ情報等の位置情報を取得可能な携帯端末を利用したガイドシステムに関するものである。
【背景技術】
【０００２】
例えば修学旅行では、ある地域内において複数の目的地を班ごとに自由に設定して様々な交通機関を利用する等しながら巡回する形態のものがある。このような形態の修学旅行では、従来、各目的地への行き方やそれらの目的地のお勧めスポット等の情報を含む目的地情報等について生徒自身がまとめたそれぞれ独自の旅のしおりや、旅行業者等が用意してくれるその地域の観光地等の目的地情報が記載されたガイドブックを携帯した上で各目的地を訪問していた。
【０００３】
近年、このような修学旅行でもＧＰＳ機能を有したスマートフォン等を班ごとに貸与することがあり、前述した紙媒体の旅のしおりを作成したり、ガイドブックを携帯したりする手間を軽減できるようにスマートフォンを用いたガイドシステムを構築する事が考えられつつある。
【０００４】
例えば旅行等に使用される携帯電話上において現在地から目的地までの経路を表示する案内装置には、特許文献１に示されるように案内装置の表示内容や表示タイミングを編集するための案内プラン作成装置をさらに備えたものがある。より具体的には、この案内プラン作成装置は、ユーザが訪問したい複数の目的地を設定できるとともに、各目的地にユーザが到達したときに前記案内装置に表示させたい目的地情報をユーザが自身で設定することができる。
【０００５】
しかしながら、特許文献１に記載の案内プラン作成装置によりガイドシステムを構築したとしても、当該ガイドシステムで取得されるユーザの情報は、旅行の計画段階におけるユーザが訪問したい目的地だけであるため、ユーザの嗜好等を十分に推定することは難しい。このため、修学旅行等をコーディネートする旅行代理店や観光業者はユーザが旅行に望んでいることや、訪問したい場所について考察し、より適切なマーケティングを行うことができていない。
【先行技術文献】
【特許文献】
【０００６】
【特許文献１】特開２００４−１３９５６０号公報
【発明の概要】
【発明が解決しようとする課題】
【０００７】
本発明は上述したような問題を鑑みてなされたものであり、ユーザが設定した目的地以外に本当に行きたかった場所等のユーザの潜在的な情報を得ることができるガイドシステム、ガイドシステム用プログラムを提供することを目的とする。
【課題を解決するための手段】
【０００８】
すなわち、本発明のガイドシステムは請求項１に記載の発明のように、ユーザから少なくとも１又は複数の目的地を含む初期旅程データを受け付ける旅程データ受付部と、前記旅程データ受付部で受け付けられた初期旅程データを記憶する初期旅程データ記憶部と、前記初期旅程データに基づいて、各目的地に対して各目的地の位置情報と、各目的地に関する情報である目的地情報とが関連づけられたガイド情報を少なくとも含むマスター旅程データを生成するマスター旅程データ生成部と、前記ユーザの現在位置情報を取得する現在位置取得部と、前記マスター旅程データ及び前記現在位置情報に基づいて、各目的地と現在位置との間の位置関係、又は、各目的地の目的地情報を表示するガイド表示部と、前記現在位置取得部で取得された現在位置情報に基づいた実旅程データを記憶する実旅程データ記憶部を備えていることを特徴とする。
【０００９】
このようなものであれば、前記初期旅程データ記憶部には、ユーザが目的地を訪れる前の計画段階で訪れたいと考えていた１又は複数の目的地を含む初期旅程データが記憶されており、前記実旅程データ記憶部には、実際に携帯端末上のガイドアプリを使用して各目的地を訪れている段階において、実際に立ち寄った場所を示す現在位置情報に基づいた実旅程データが記憶されているので、計画段階と実際の訪問時における行動との違いを比較し、ユーザの嗜好等について考察するため等のデータとして使用することができる。
【００１０】
より具体的には、初期旅程データと実旅程データを比較することで、前記ガイド表示部が各目的地へのガイドを行っているにもかかわらず、実際にユーザが寄り道している場所が分かる。このような場所は計画段階では思いつかなかったが実際にはユーザがより強い興味を引く場所である可能性が高い。一方、各データの比較結果から初期旅程データでは目的地として設定しておきながら実際にはその目的地へは行かなかったことが分かった場合には、一般的には評判であってもその目的地には何らかの問題がある、あるいは、各目的地の中ではそれほど優先度が高くなく、人気度としてはやや落ちる場所である等といった推定が可能となる。
【００１１】
要するに、本発明ではユーザが計画段階で行きたいと考えている場所と、実際に訪問した場所に関する情報を取得することができるので、これらのデータを比較分析することにより観光資源を新たに発見したり、よりユーザに訴求するガイドプランの作成に役立てたりする等、様々なマーケティング用のデータとして利用できる。
【００１２】
さらに、前記マスター旅程データ生成部によって、受け付けられた初期旅程データに基づいて、各目的地に対応させて各目的地の位置情報と、各目的地に関する情報である目的地情報が関連づけられたマスター旅程データが生成されるので、ユーザは前記旅程データ受付部に初期旅程データを入力するだけで、各目的地の目的地情報等を自分自身で編集するなどせずに、ユーザごとに固有のガイドシステムを構成することができる。
【００１３】
また、従来のガイドシステムでは、ユーザが設定した目的地に対して対応する情報をユーザ自身が付与しなければならず、ユーザごとに固有のガイドシステムを構築するのは非常に手間がかかっていた。これに対して本発明では、ユーザは目的地を入力するだけで、マスター旅程データ生成部がその目的地に対応する位置情報や目的地情報を紐づけてくれるので非常に簡単に、ユーザごとにオリジナルのガイドシステムを構成することができる。
【００１４】
また、計画段階ではユーザは目的地の目的地情報を見ることがないので、実際にその目的地を訪問する前に目的地情報を見過ぎたせいで、目的地に到達したときの感動が薄れてしまうといった事態も防ぐことができる。すなわち、本発明のガイドシステムの構成によれば、各目的地を訪問したときの感動を新鮮なものにでき、エンターテイメント性を高めることができる。
【００１５】
このように本発明は、ユーザにとってオリジナルのガイドシステムを構成するのに手間はかからないとともに、編集作業によって各目的地を訪れる際の感動を低減することもなく、ユーザにとって使い勝手のよいガイドシステムとなっている。
【００１６】
ユーザが実際に訪れた場所への興味の度合い等を初期旅程データと実旅程データとを比較することにより抽出しやすくするには、請求項２に記載の発明のように前記実旅程データが、位置情報と、その位置情報が示す地点でのユーザの滞在時間と、を含むものであればよい。ここで、滞在時間とはユーザがある位置情報が示す地点にいた時刻、又は、時間長を含む概念である。例えば、目的地以外の訪問場所において滞在時間が長いということは、ユーザの興味を引くものが存在すると考えられ、滞在時間が短い場合には単に道を間違えただけであると推定することができるようになる。また、ある位置情報が示す地点にユーザが滞在した時刻からも様々な行動の推定が可能となる。例えば、お昼の時間帯においてユーザが目的地以外の場所で長時間滞在している場合には、その位置情報が示す地点にはユーザの興味を引く飲食店が存在する可能性が高いと推定できる。
【００１７】
初期旅程データと実旅程データから、ユーザが本当に行きたい場所や受けたいサービス等を特定することを容易にし、マーケティング等においてより価値の高いデータを作成できるようにするには、請求項３に記載の発明のように前記初期旅程データ記憶部に記憶されている初期旅程データと、前記実旅程データ記憶部に記憶されている実旅程データを比較し、違いを抽出する旅程データ比較部をさらに備えたものであればよい。
【００１８】
単純に現在位置から各目的地までの推奨ルートをそのまま地図上に表示するのではなく、各目的地を探し当てるオリエンテーリングのような探索ゲーム的なエンターテイメント性をガイドシステムに付与することができるようにするには、請求項４に記載の発明のように前記ガイド表示部が、現在位置に対する各目的地までの距離と、現在位置に対する各目的地の存在方向とを表示するように構成されていればよい。
【００１９】
ユーザが目的地に到達した時に初めてその場所が目的地のうちのどの場所であったかが分かるようにし、目的地到達時の発見的な楽しさをより高められるようにするには、請求項５に記載の発明のように前記ガイド表示部が、各目的地の名称を表示せずに各目的地の位置情報を表示するように構成されていればよい。
【００２０】
ユーザが目的地の近辺に到達した場合には、ユーザが設定した目的地に関連する目的地情報のみが表示されるようにし、到達した目的地についてユーザが知りたい情報を得やすいようにするとともに、その目的地に到達したことに対する報酬がユーザに与えられたように演出できるようにし、エンターテイメント性を向上させるには、請求項６に記載の発明のように前記ガイド表示部が、各目的地の位置情報と前記現在位置情報との差が所定値以内の目的地の目的地情報を表示すればよい。
【００２１】
既存の携帯端末及びサーバに対して本発明のガイドシステムの機能を追加するには、請求項７に記載しているようなガイドシステム用プログラムを既存の携帯端末及びサーバにインストールすればよい。このガイドシステム用プログラムは、ＣＤ、ＤＶＤ、ＵＳＢメモリ等といった記録媒体に記録されたものであってもよいし、ネットワークを介して電子的に配信されるものであってもよい。
【発明の効果】
【００２２】
このように本発明のガイドシステムは、ユーザが旅行等の計画段階において設定した目的地の情報を含む初期旅程データを記憶する初期旅程データ記憶部と、実際に携帯端末を利用して各目的地を回るときに携帯端末から取得される現在位置情報を含む実旅程データを記憶する実旅程データ記憶部とを備えているので、初期旅程データと実旅程データとを比較することができ、ユーザが本当に行きたかった場所や、設定されている目的地の選好度等といったデータを得ることができる。また、ユーザは各自の行きたい場所に沿った固有のガイドシステムを目的地を入力するだけで簡単に利用でき、かつ、そのガイドシステムを利用することによって旅行のエンターテイメント性を高めることができるので、初期旅程データや実旅程データにマーケティング的に価値のある内容が表れやすくするようにすることも可能となる。
【図面の簡単な説明】
【００２３】
【図１】本発明の一実施形態に係るガイドシステムを示す模式的構成図。
【図２】同実施形態におけるマスター旅程データの生成に関する動作を示すフローチャート。
【図３】同実施形態における位置関係表示部により表示されるユーザがマップ上方向を向いている場合の案内画面を示す模式図。
【図４】同実施形態における位置関係表示部により表示されるユーザがマップ右上方向を向いている場合の案内画面を示す模式図。
【図５】同実施形態における目的地情報表示部による目的地情報表示画面を示す模式図。
【図６】同実施形態におけるガイドシステムによるガイド時の動作を示すフローチャート。
【発明を実施するための形態】
【００２４】
＜ガイドシステム２００の構成＞
本発明の一実施形態に係るガイドシステム２００について各図を参照しながら説明する。
【００２５】
本実施形態のガイドシステム２００は、例えば修学旅行においてユーザが班ごとに設定されており、班ごとに修学旅行地域内において自由に訪問する目的地を設定し、班ごとに固有のガイドシステム２００を構築できるようにしたものである。
【００２６】
より具体的には、本実施形態のガイドシステム２００は少なくとも現在位置情報が取得可能な携帯端末１００と、前記携帯端末１００と電話回線、インターネット回線等のネットワークＸを介して接続されるサーバ１０１とによって構成してある。
【００２７】
各部については図１の模式的構成図を参照しながら説明する。
【００２８】
＜サーバ１０１の構成＞
前記サーバ１０１は、ユーザから目的地に関する情報を受け付けて、前記携帯端末１００において利用される目的地に応じたマスター旅程データを生成する機能と、ユーザの目的地に対する選好度等を推定することができる情報を収集する情報収集機能と、を少なくとも実現するよう構成してある。
【００２９】
すなわち、前記サーバ１０１はＣＰＵ、メモリ、入出力インターフェース等を備えたものであり、メモリに格納されたガイドシステム２００用プログラムが実行されることにより、図１に示すように少なくとも旅程データ受付部１、マスター旅程データ生成部２、初期旅程データ記憶部３、実旅程データ記憶部４、旅程データ比較部９としての機能を実現するように構成してある。
【００３０】
まず、前記サーバ１０１における前記携帯端末１００にインストールされるマスター旅程データの生成に関する構成である旅程データ受付部１及びマスター旅程データ生成部２について説明する。
【００３１】
前記旅程データ受付部１は、ユーザから少なくとも１又は複数の目的地を含む初期旅程データを受け付け、後述するマスター旅程データを構成するために適したフォーマットへ変換するものである。前記旅程データ受付部１は、前記複数の目的地は例えば訪問したい場所の名称や、ユーザが訪問したい場所に明確な名称がない場合には緯度及び経度により訪問したい目的地として受け付けられるようにしてある。また、前記旅程データ受付部１は、初期旅程データとして目的地だけでなく、各目的地を訪問する順番、その目的地の到着予定時刻、出発予定時刻、滞在予定時間等も受け付けられるように構成してある。なお、前記旅程データ受付部１は最初から所定のフォーマットに沿った初期旅程データのみを受け付けるように構成してもよい。このような場合には、修学旅行生から行きたい目的地を紙等に記載してもらい、旅行業者等において紙のデータから所定のフォーマットの電子データにしてから当該旅程データ受付部１へ旅行業者等が入力するようにしてもよい。
【００３２】
前記マスター旅程データ生成部２は、前記初期旅程データに基づいて、前記携帯端末１００にインストールされるユーザを各目的地へガイドするための元データとなる各目的地に対して各目的地の位置情報と、各目的地に関する情報である目的地情報とが関連づけられたガイド情報を少なくとも含むマスター旅程データを生成するものである。より具体的にはマスター旅程データ生成部２は、例えば目的地として設定されることの多い観光地、寺社、名勝等の場所について、名称、径度及び緯度情報、画像・テキスト・音声等から構成されるその目的地の見どころ等について説明する基本情報及び最寄りの交通機関等からなる目的地情報が対になったガイド基本情報データを記憶したガイド基本情報データベース（図示しない）と、ガイド基本情報データベースに基づいて前記旅程データ受付部１で受け付けられた初期旅程データの目的地の名称に対応する経度及び緯度情報を付与する位置情報付与部（図示しない）と、各目的地に対して目的地情報を関連させる、又は、各目的地の訪れる順番やルート設定等の詳細を設定する詳細設定部（図示しない）と、各目的地と付与された経度及び緯度情報を設定したユーザごとに固有のマスター旅程データを出力するマスター旅程データ出力部（図しない）とから構成してある。すなわち、前記マスター旅程データ生成部２で生成されるマスター旅程データは、前記携帯端末１００にインストールされているガイド用のアプリケーションに利用される元データであって、基本的にはユーザにより入力された目的地に基づいて、ユーザに固有のものが生成される。ここで、本実施形態のマスター旅程データ生成部２は、前記位置情報付与部により各目的地の位置情報は自動的に付与されるように構成してある一方、前記詳細設定部により例えば旅行会社や企画会社の人間が各目的地に関連付けさせたい目的地情報やルート、訪問順番を適宜設定できるように構成してある。このようにすることで、ガイドシステム２００によるユーザのガイドに旅行会社や企画会社ならではのエンターテイメント性の演出を可能としている。なお、マスター旅程データ生成部２の構成としては、目的地を入力するだけで必要な情報が全て自動的に各目的地に付与されるように構成してもよい。
【００３３】
次に、前記サーバ１０１における情報収集機能に関連する構成である初期旅程データ記憶部３及び実旅程データ記憶部４について説明する。
【００３４】
前記初期旅程データ記憶部３は、前記旅程データ受付部１で受け付けられた初期旅程データを記憶するものであり、本実施形態ではユーザが設定した目的地に対応する経度及び緯度の位置情報が付与された状態の初期旅程データを、当該初期旅程データを入力したユーザを識別する識別子と対にして記憶するように構成してある。すなわち、前記初期旅程データ記憶部３は、前記旅程データ受付部１においてユーザが目的地の名称とともに位置情報も入力している場合にはそのまま初期旅程データとして記憶し、目的地の位置情報がなかった場合には前記マスター旅程データ生成部２において目的地の位置情報が付与された初期旅程データを記憶するように構成してある。
【００３５】
前記実旅程データ記憶部４は、ユーザが前記マスター旅程データ生成部２において生成されたマスター旅程データを前記携帯端末１００において使用して実際に各目的地を訪問している際に前記携帯端末１００において取得される現在位置情報を含む実旅程データを記憶するものである。この実旅程データ記憶部４の詳細については、後述する携帯端末１００側の構成及びガイド時の動作と絡めて再度記載する。
【００３６】
前記旅程データ比較部９は、前記初期旅程データ記憶部３に記憶されている初期旅程データと、前記実旅程データ記憶部４に記憶されている実旅程データとを比較して、各旅程データの違いを抽出するものである。例えば旅程データ比較部９は、計画段階の各目的地と実際の訪問地の違い、計画段階における各目的地を訪問する順番と、実際に訪問した順番の違い、各目的地における滞在予定時間と、実際の滞在時間の違い、計画段階における各目的地への予定のルート又は道順と、実際に通ったルート又は道順との違い、計画段階における出発地点と、実際の出発地点の違い、位置情報や滞在時間に基づいて計画段階における移動手段と、実際に使用した移動手段の違い、休憩、宿泊の有無の違い、等を抽出するように構成してある。前記初期旅程データ及び前記実旅程データそのものを検討することによっても、ユーザの嗜好等について推定する事は可能であるが、この比較部９により抽出された各違いを検討することで、より精度の高い推定が可能となり、マーケティング等の基礎データとしてさらに役立てることが可能となる。また、旅程データ比較部６は、あるユーザ単体の初期旅程データと実旅程データとを比較するものであってもよいし、異なるユーザ間において例えば初期旅程データが共通又は近似している場合等に、各ユーザ間の実旅程データを比較するように構成してもよい。このようにユーザ間における比較をする場合には、例えばユーザの出発地点の違いや、居住地域（出身地域）の違い等を抽出し、例えば居住地域の違いが計画段階の目的地や実際の訪問地に対する嗜好や選好にどのような傾向がみられるかについて検討でき、居住地域ごとに人気のあるスポットを提案することが可能となる。
【００３７】
＜マスター旅程データ作成時の動作＞
ここで、ユーザによる目的地の設定から携帯端末１００へのマスター旅程データのインストールまでの動作について図２のフローチャートを参照しながら説明する。
【００３８】
まず、旅程データ受付部１は、ユーザから少なくとも１又は複数の目的地を含む初期旅程データを受け付ける（ステップＳ１）。さらに、前記旅程データ受付部１は、マスター旅程データを生成するのに適したフォーマットへ前記初期旅程データを変換する（ステップＳ２）。
【００３９】
次に前記マスター旅程データ生成部２は、受け付けられた初期旅程データとガイド基本情報データベースとに基づいて各目的地に対して経度及び緯度からなる位置情報を付与する（ステップＳ３）。さらに前記マスター旅程データ生成部２は、位置情報が付与された各目的地と、各目的地に対応する前記ガイド基本情報データベースにある目的地情報を付与した上で、各目的地へのガイドを行うための元データとなるマスター旅程データを生成する（ステップＳ４）。このマスター旅程データがガイドアプリがインストールされた携帯端末１００に記憶されることにより、前記サーバ１０１と前記携帯端末１００によりガイドシステム２００が構成される（ステップＳ５）。
【００４０】
また、前記マスター旅程データ生成部２において各目的地に位置情報が付与された状態の初期旅程データは前記初期旅程データ記憶部３に入力したユーザの識別子と対にして記憶される（ステップＳ６）。
【００４１】
このようにして、ユーザが各目的地を訪問する前に各ユーザに固有のガイドシステム２００が構成される。
【００４２】
＜携帯端末１００の構成＞
次にガイドアプリがインストールされた前記携帯端末１００について説明する。この携帯端末１００はＣＰＵ、メモリ、入出力手段、ＧＰＳ等を備えたいわゆるスマートフォンやタブレット端末に相当するものであり、各機器が協業してメモリに格納されているガイドシステム２００用プログラムが実行されることにより、少なくとも現在位置取得部５、マスター旅程データ記憶部６、位置関係表示部７及び目的地情報表示部８からなるガイド表示部Ｇとしての機能を発揮するように構成してある。
【００４３】
各部について説明する。
【００４４】
前記現在位置取得部５は、ＧＰＳあるいは基地局から電波に基づいて、携帯端末１００（ユーザ）の現在位置情報を取得するように構成してある。ここで、前記現在位置取得部５は、所定時間ごとに当該携帯端末１００の現在位置情報を取得し、前記実旅程データ記憶部４に定期的に現在位置情報を含む実旅程データとして送信するように構成してある。より具体的には、本実施形態では実旅程データは、現在位置情報だけでなく、現在位置情報が示す場所におけるユーザの滞在時間を含んでおり、現在位置情報が前記目的地の位置情報と近似している場合には現在位置情報に対応する場所の名称を含むようにしてある。
【００４５】
前記マスター旅程データ記憶部６は、前記初期旅程データに含まれる各目的地と、各目的地の位置情報と、各目的地の目的地情報と、を少なくとも対にしたマスター旅程データを記憶するものである。このマスター旅程データに記憶されているデータは、前記現在位置取得部５で取得される現在位置情報に応じて前記携帯端末１００の画面に表示される。
【００４６】
前記ガイド表示部Ｇは、前記マスター旅程データ記憶部６に記憶されているマスター旅程データ中の少なくともガイド情報を表示するものであり、現在位置と各目的地との位置関係を表示する位置関係表示部７と、各目的地に到達したユーザが到達した場合に報酬としてその目的地に対応する目的地情報を表示する目的地情報表示部８とから構成してある。
【００４７】
前記位置関係表示部７は、前記マスター旅程データと、前記現在位置情報とに基づいて、各目的地と現在位置との間の位置関係を画面に表示するように構成してある。より具体的には、前記位置関係表示部７は、図３及び図４に示すように各目的地の名称については表示せずに各目的地と現在位置との相対的な位置関係を表示するように構成してある。そして、前記位置関係表示部７は画面の上半分の簡易マップ上に未到達の目的地については名称を表示せずに地図上の概略の位置をシルエット又は未到達を示すアイコンのみで示し、ユーザが既に到達した目的地についてはその名称とともにその特徴を示すアイコンを明示した状態で表示する。各目的地が未到達かどうかについては、前記現在位置取得部５において取得された現在位置情報と各目的地の位置情報との差が所定値以内になったことがあるかどうかで判定される。そして、前記位置関係表示部７は、現在位置に対して未到達の目的地は現在ユーザが向いている方向を基準としてどの方向にあり、かつ、どの程度離れているかを画面の下半分にレーダー表示するように構成してある。図３では、ユーザが目的地Ａ寺上におり、かつ、簡易マップにおいて上方向を向いている場合を示しているので、レーダーの縦軸上には目的地１を示す光点が示されており、レーダーの左斜め上方向に目的地２を示す光点が示されている。ここで、ユーザが目的地Ａ寺上におり、簡易マップにおいて右斜め方向４５°を向いている場合には、図４に示すように各光点の位置は図３と比較して反時計まわりに４５°回転した位置に表示されることになる。
【００４８】
前記目的地情報表示部８は、現在位置情報と各目的地の位置情報のいずれかの差が所定値以内となった場合、すなわち、各光点のうちの一つが、レーダーの中心と略一致した場合に、その目的地に関する目的地情報を表示するように構成してある。より具体的には、前記目的地情報表示部８は、前記マスター旅程データに基づき、図５に示すように現在位置情報と位置情報が略一致している目的地の詳細について、写真等の画像、目的地の見どころ等について記載したテキストを表示するとともに、テキストの読み上げる音声を再生するように構成してある。
【００４９】
＜ガイド時の動作＞
このように構成されたガイドシステム２００によるガイドが行われる場合の動作について図６のフローチャートを参照しながら説明する。
【００５０】
まず、前記現在位置取得部５によりＧＰＳや基地局からの電波に基づいて現在位置情報が取得される（ステップＳＴ１）。次に前記マスター旅程データに含まれている各目的地の位置情報のいずれかと、現在位置情報が略一致しているかどうかについての判定が行われる（ステップＳＴ２）。
【００５１】
現在位置情報が各目的地のいずれかの位置情報と略一致している場合には、前記目的地情報表示部８は、携帯端末１００の画面上にその略一致している目的地の名称及び各種目的地情報を表示する。なお、この目的地情報の表示はユーザが目的地情報の表示を要求する入力操作があり、かつ、現在位置情報と目的地の位置情報が略一致している場合のみ行われる（ステップＳＴ３）。
【００５２】
現在位置情報と目的地の位置情報が一致していない場合には、前記位置関係表示部７が、図３及び図４に示すように現在位置と各目的地との相対的な位置関係について表示する（ステップＳＴ４）。この位置関係の表示については前記ガイド表示部による目的地情報の表示ができるまで継続される。
【００５３】
また、ある目的地について目的地情報表示部８により目的地情報の表示が行われた後には、全ての目的地にユーザが既に到達したかどうかについて判定が行われる（ステップＳＴ５）。ここで、既にユーザが全ての目的地に到達している場合には、ガイドシステム２００によるガイドを終了し、未到達の目的地が存在する場合には、ステップＳＴ１へと戻り、ガイドが継続される。なお、ステップＳＴ１において現在位置取得部５により現在位置情報が取得される度に当該現在取得部は、前記サーバ１０１の実旅程データ記憶部４へ現在位置情報を含む実旅程データを送信し、前記実旅程データ記憶部４はそのデータを記憶する（ステップＳＴ６）。
【００５４】
＜本実施形態の効果＞
このように本実施形態のガイドシステム２００によれば、ユーザが修学旅行前の計画段階において設定した目的地の情報を含む初期旅程データ記憶部３と、実際に携帯端末１００によるガイドを受けながら各目的地を回るときに取得される現在位置情報を含む実旅程データを記憶する実旅程データ記憶部４とを備えているので、計画段階と実際の行動との違いを比較可能なデータを得ることができる。
【００５５】
すなわち、修学旅行の計画段階において雑誌やＷｅｂに形成されている情報だけに基づいて目的地を設定した場合のデータと、実際に修学旅行地域を巡回している時のデータを比較することができるので、各目的地間の選好度の違いや、計画を変更してでも行きたくなるほどの観光資源を有した場所を発見する事が可能となる。
【００５６】
また、ユーザがある場所にどれくらいの時間滞在していたかについても前記実旅程データは含んでいるので、滞在時間から滞在している場所の魅力等について考察するといったこともできる。
【００５７】
さらに、本実施形態のガイドシステム２００は、ユーザが目的地を任意で設定するだけでユーザからすると自動的にユーザごとに固有のガイドシステム２００を構成することができる。したがって、従来のようにユーザ自身が各目的地の目的地情報や場所等の情報について表示したい内容を自分自身で編集していた場合に比べて、ガイドシステム２００を構築する手間は非常に少ない。
【００５８】
加えて、前記位置関係表示部７が、現在位置から目的地までの具体的なルートを表示するのではなく、現在位置と目的地との相対的な位置関係のみを表示するように構成してあるので、ユーザに対して修学旅行地域を探索し、その目的地を発見する面白さを提供することができる。言い換えると、単に携帯端末１００からの指示に従って機械的にルートをたどるのではなく、探索要素のあるエンターテイメント性の高い修学旅行を実現することができる。また、このように目的地への案内を実現しながらもユーザに能動的でインタラクティブな旅行体験を提供することができるので、実際に行った場所のイメージを鮮明でかつ良いものにすることができる。このようなことから、当該ガイドシステム２００により修学旅行地域のイメージを向上させ、活性化させることができる。そして、本実施形態の前記位置関係表示部７では現在位置と目的地との相対的な関係しか示しておらず、そのルートを固定して指示するものではないので、例えばカーナビ等のように道を間違えても正しいルートへユーザを戻すようには誘導しない。したがって、ユーザは計画段階の目的地とは異なる場所を訪れやすく、実旅程データにユーザの本当のニーズ等を表れやすくすることができる。
【００５９】
また、ユーザは計画段階では各目的地の詳細な情報について事前に見ないようにすることもでき、前記目的地情報表示部８が各目的地にユーザが到達した時点で初めて目的地情報を開示するので、ある目的地にたどり着いた達成感や報酬感をユーザに与えて、エンターテイメント性をより高めることができる。
【００６０】
これらのことから、ガイドシステム２００をユーザが利用することのメリットが大きいので、このガイドシステム２００を利用することの引き換えとして初期旅程データ及び実旅程データといったデータを提供することをユーザに納得してもらいやすい。
【００６１】
その他の実施形態について説明する。
【００６２】
前記ガイドシステムを構成する各部については前記サーバ又は前記携帯端末のいずれか、又は、両方にまたがって構成されていてもよく、前記実施形態に示されたものに限られない。例えば、マスター旅程データについては前記サーバ上に構成しておき、携帯端末側からの要求があった場合に逐次携帯端末へマスター旅程データを送信するように構成しても構わない。加えて、全ての構成要件がスマートフォン等の携帯端末上で構成されており、サーバに対して初期旅程データ及び実旅程データが送信されるように構成してもよい。
【００６３】
前記実施形態では修学旅行用のガイドシステムとして構成していたが、その他の旅行や観光用のガイドシステムとして本発明を適用しても構わない。このようなガイドシステムの場合には、初期旅程データ及び実旅程データについてはユーザを匿名化した上で、初期旅程データ記憶部及び実旅程データ記憶部に記憶されるようにしてもよい。また、初期旅程データとして受け付けられる目的地については訪問する順番について限定してもよい。例えば、複数の目的地が存在する場合、前記位置関係表示部がある目的地へユーザが到達して後でないと次の目的地を開示しないように構成しても構わない。あるいは、ある目的地に到達したときに問題を出題し、ユーザの回答に応じて前記位置関係表示部が次の目的地を変更して表示するように構成しても構わない。このようにすることで、各目的地を巡回することについてゲーム性を高めることができる。
【００６４】
前記初期旅程データは、各目的地について携帯端末においてユーザが参照したい画像、音声、テキスト等の情報を含むものであり、これらを対にしたものであっても構わない。また、このような初期旅程データを前記旅程データ受付部は受け付けた後にマスター旅程データの生成に適したフォーマットに自動的に変換するように構成しておけばよい。このようなものであれば、ユーザごとにさらにマスター旅程データをカスタマイズした状態にすることができ、例えば、ある目的地やその途中の地点にユーザが到達した時点でユーザが特に表示したい情報をガイド表示部によって自動的に表示させることができ、ユーザの嗜好にあったガイドシステムとすることができる。
【００６５】
前記位置関係表示部の各目的地と現在位置との間の位置関係を画面に表示する別の態様としては、地図上に現在位置から各目的地への道順あるいはルートを示すものが挙げられる。また、前記実施形態ではユーザが未到達の目的地についてはその名称を表示していなかったが、未到達であっても明示的に目的地の名称をマップ上に表示しても構わない。このようなものであれば、スムーズに各目的地をユーザが巡回するための観光案内アプリとして動作させることができる。
【００６６】
初期旅程データと実旅程データを比較することにより、ユーザが本当に興味を持っていた場所を表れやすくし、マーケティング等のデータとして価値の高いものにできるよう、前記実旅程データが、前記現在位置情報から推定される前記初期旅程データに含まれる目的地以外の実際の訪問地を含むようにしてもよい。
【００６７】
前記実施形態では、前記現在位置取得部は所定時間毎のサンプリングによって前記実旅程データ記憶部へ現在位置情報を送信するように構成していたが、実旅程データ記憶部へ送信されるタイミングを別のものにしても構わない。例えば、前記現在位置取得部が、ユーザからの現在位置情報の取得を開始する現在位置取得開始動作を受け付け可能に構成されており、この現在位置取得開始動作を受け付けたときのみ現在位置情報を取得して、前記実旅程データ記憶部へ現在位置情報を送信するようにしてもよい。また、前記目的地情報表示部がユーザから現在位置取得開始動作があり、かつ、目的地の位置情報と現在情報が略一致している場合のみ目的地情報を表示するように構成してあれば、ユーザは目的地と思われる場所が本当に目的地かどうかの答え合わせを試しに行う際に、実旅程データを取得することができる。すなわち、ユーザが目的地情報を開示させたいという欲求に基づいた行動に合わせて自然に実旅程データを取得できる。
【００６８】
前記マスター旅程データが、目的地として設定されていなくても様々なスポットのガイド情報を含んだものであり、前記ガイド表示部が、前記現在位置取得部で取得される現在位置情報に応じて、現在位置周辺のお勧めスポットや情報を表示する現在位置周辺情報表示部をさらに備えたものであっても構わない。このようなものであれば、現在位置周辺の目的地以外のお勧めスポットや情報のみが表示されるので、画面上の表示を見にくくすることがない。また、このような現在位置周辺情報が表示されることにより、初期旅程データと実旅程データとの違いが生まれやすくなり、より有益なデータ収集が可能となる。なお、前記現在位置周辺情報表示部は、お勧めのスポット等について名称や詳細情報等をそのまま表示するものであってもよいし、例えば、前記実施形態のガイド表示部のようにマップ上における場所のみを表示するものであってもよい。
【００６９】
また、前記目的地情報がその目的地の観光案内情報だけでなく、次の目的地のヒントや、その目的地に関するクイズ等を含むものであれば、このガイドシステムを用いてユーザが旅行をするには現在位置取得開始動作は不可欠な動作となり、より自然に実旅程データをユーザから取得する事が可能なる。また、このようなものであれば、目的地の近傍における現在位置情報を多数取得できる可能性が高く、目的地と実際の訪問地の違い等が際立ち、マーケティング等に役立つデータを取得しやすい。
【００７０】
その他、本発明の趣旨に反しない限りにおいて様々な実施形態の変形や組み合わせを行っても構わない。
【符号の説明】
【００７１】
２００・・・ガイドシステム
１００・・・携帯端末
１０１・・・サーバ
１    ・・・旅程データ受付部
２    ・・・マスター旅程データ生成部
３    ・・・初期旅程データ記憶部
４    ・・・実旅程データ記憶部
５    ・・・現在位置取得部
６    ・・・マスター旅程データ記憶部
７    ・・・位置関係表示部
８    ・・・目的地情報表示部
【図１】
2015079390.tif 000003
【図２】
2015079390.tif 000004
【図３】
2015079390.tif 000005
【図４】
2015079390.tif 000006
【図５】
2015079390.tif 000007
【図６】
2015079390.tif 000008